(57)【要約】【課題】  ランプソケットから下方へ及び上方へと照射可能な全角度発光ダイオードランプを提供する。【解決手段】  全角度発光ダイオードランプは、ランプソケット１０頂面に散熱器１１を設置する。ランプソケット１０の底面には第一光電ユニット２０を設置し、ランプソケット１０の頂面には第二光電ユニット３０を設置する。ランプソケット１０上には第一光電ユニット２０及び第二光電ユニット３０と電気的に連接する電源モジュール４０を設置する。電源モジュール４０により外部電源を第一、第二光電ユニット２０、３０を起動する定格直流電に転換し、第一、第二光電ユニット２０、３０の光源照射下において、ランプソケット１０から下方へ及び上方へと照射する全角度照明効果を達成する。  【選択図】  図２
0003203682.tif 000002
【実用新案登録請求の範囲】
【請求項１】
全角度発光ダイオードランプであって、ランプソケット、第一光電ユニット、第二光電ユニット、電源モジュールを有し、
前記ランプソケットは、少なくともその頂面に散熱器を設置し、
前記第一光電ユニットには、光源が前記ランプソケットから下方へと照射する形態を呈し、前記ランプソケットの底面に取り付ける少なくとも１個の第一発光ダイオード部材を設置し、
前記第二光電ユニットには、光源が前記ランプソケットから上方へ照射する形態を呈し、前記ランプソケットの頂面辺縁位置に取り付ける少なくとも１個の第二発光ダイオード部材を設置し、
前記電源モジュールは、前記ランプソケット上に取り付け、外部電源を、定格直流電に転換し、しかも前記第一光電ユニット及び前記第二光電ユニットと電気的に連接することを特徴とする全角度発光ダイオードランプ。
【請求項２】
前記第一光電ユニットには、少なくとも１個の前記第一発光ダイオード部材を遮蔽する少なくとも１個の第一光透過カバーを設置することを特徴とする請求項１に記載の全角度発光ダイオードランプ。
【請求項３】
前記第二光電ユニットには、少なくとも１個の前記第二発光ダイオード部材を遮蔽する少なくとも１個の第二光透過カバーを設置することを特徴とする請求項１に記載の全角度発光ダイオードランプ。
【請求項４】
前記全角度発光ダイオードランプは、前記ランプソケット上に、前記ランプソケットと相対して回転可能なサポートフレームを軸設し、前記サポートフレーム上には、少なくとも１個の取付孔を設置し、
前記第一光電ユニットは、少なくとも１個の前記第一発光ダイオード部材を遮蔽する少なくとも１個の第一光透過カバーを設置し、
前記第二光電ユニットには、少なくとも１個の前記第二発光ダイオード部材を遮蔽する少なくとも１個の第二光透過カバーを設置することを特徴とする請求項１に記載の全角度発光ダイオードランプ。
【請求項５】
前記第一光電ユニットは、複数の前記ランプソケットの底面に設置する第一発光ダイオード部材を有し、
前記各第一発光ダイオード部材は、扇型基板上に、複数の発光ダイオードを封入することを特徴とする請求項１〜4の任意の一項に記載の全角度発光ダイオードランプ。
【請求項６】
前記第二光電ユニットは、前記ランプソケットの頂面辺縁位置を取り囲んで配置する複数の第二発光ダイオード部材を有し、
前記各第二発光ダイオード部材は、弧型基板上に、複数の発光ダイオードを封入することを特徴とする請求項１〜4の任意の一項に記載の全角度発光ダイオードランプ。
【請求項７】
前記電源モジュールは、前記ランプソケットの散熱器上に取り付けられることを特徴とする請求項１〜６の任意の一項に記載の全角度発光ダイオードランプ。
【請求項８】
前記散熱器は、前記ランプソケットの頂面中心位置に設置し、しかも放射状に取り囲んで配置する複数の散熱フィンを有することを特徴とする請求項１〜６の任意の一項に記載の全角度発光ダイオードランプ。
【請求項９】
前記第一光透過カバーは、円形カバーであることを特徴とする請求項２或いは４に記載の全角度発光ダイオードランプ。
【考案の詳細な説明】
【技術分野】
【０００１】
本考案はランプに関し、特に全角度照明効果を形成可能な全角度発光ダイオードランプに関する。
【背景技術】
【０００２】
近年、高出力固態照明光源技術は発展を続けている。
それに加えて、パッケージプロセスと蛍光粉末材料等技術も、持続的に発展し、日増しに成熟してきており、発光ダイオード（ｌｉｇｈｔ  ｅｍｉｔｔｉｎｇ  ｄｉｏｄｅ、ＬＥＤ）の発光効率も絶えず向上している。
さらに、発光ダイオードには、省エネ、二酸化炭素削減が可能で、低コスト、高発光効率、小体積、寿命が長く、スペクトラムが比較的ピュア等の長所を備えるため、各種の照明光源製品が生まれている。
これにより、各種室内外照明領域に幅広く運用されるばかりか、伝統的な白熱灯、蛍光灯に置換する動きも徐々に広まっている。
【０００３】
発光ダイオードの光源は、指向性と点光源の特性を備えるため、従来の発光ダイオードランプは通常は、基板上に様々な個数の発光ダイオード部材を設置する。
しかも、十分な出光強度を得るため、各発光ダイオード部材は通常密集させて配列する方式で、基板表面に配置する。
さらに、高出力技術の発展に伴い、発光ダイオードは熱管理の問題に直面している。
発光ダイオードの発光特性は、接面温度に従い変化（発光強度の衰減、発光色の偏移、点滅等）し、さらには本体及びパッケージ材料の劣化を加速する恐れもある。
その原因は、駆動電流の調整、及び発光ダイオード内部接面温度の変化にある。
【０００４】
よって、発光ダイオード部材を光源とするランプ（以下、発光ダイオードランプと呼ぶ）は、発光ダイオード部材そのものの散熱技術を改善し、高出力発光ダイオードの散熱ニーズに応える他、発光ダイオードランプそのものにも散熱を助ける機構を設置し、発光ダイオードランプ全体の散熱効果を高める必要がある。
従来の発光ダイオードランプの多くは、ランプソケット頂面に、アルミ基板を設置する。
アルミ基板上には、様々な個数の発光ダイオード部材を設置し、さらにカバーをランプソケットに結合し、発光ダイオード部材を保護する。
これにより、発光ダイオードランプの作動時、アルミ基板及び同様にアルミ材により加工製造されるランプソケットにより散熱メカニズムを発揮する。
【０００５】
しかしながら、上記した各構造設計では、発光ダイオード部材が生じる光源は、アルミ基板の一面に設置するカバーからしか射出されない。
そのため、全角度照明効果を生じることは非常に難しい。
【考案の概要】
【考案が解決しようとする課題】
【０００６】
前記先行技術には、全角度照明効果を生じることが非常に難しいという欠点がある。
【課題を解決するための手段】
【０００７】
本考案は全角度照明効果を形成可能な全角度発光ダイオードランプに関する。
【０００８】
本考案による全角度発光ダイオードランプは、ランプソケット、第一光電ユニット、第二光電ユニット、及び電源モジュールを有する。
該ランプソケットは、少なくともその頂面に散熱器を設置する。
該第一光電ユニットには、光源が該ランプソケットから下方へと照射する形態を呈し、該ランプソケットの底面に取り付ける少なくとも１個の第一発光ダイオード部材を設置する。
該第二光電ユニットには、光源が該ランプソケットから上方へと照射する型態を呈し、該ランプソケットの頂面辺縁位置に取り付ける少なくとも１個の第二発光ダイオード部材を設置する。
該電源モジュールは、該ランプソケット上に取り付け、外部電源を定格直流電に転換し、しかも該第一光電ユニット及び該第二光電ユニットと電気的に連接する。
【０００９】
本考案による全角度発光ダイオードランプは、使用時には、該ランプソケットを通して適した使用位置に取り付け、しかも該電源モジュールを通して外部電源に連接する。
正常な使用状態下では、該電源モジュールにより、外部電源を該第一、第二光電ユニットを起動する定格直流電に転換し、該第一、第二光電ユニットの光源照射下において、該ランプソケットから下方へ及び上方へ照射する全角度照明効果を達成する。
【００１０】
本考案による全角度発光ダイオードランプにおいて、該第一光電ユニットは、少なくとも１個の該第一発光ダイオード部材を遮蔽する少なくとも１個の第一光透過カバーを設置する。
【００１１】
本考案による全角度発光ダイオードランプにおいて、該第二光電ユニットは、少なくとも１個の該第二発光ダイオード部材を遮蔽する少なくとも１個の第二光透過カバーを設置する。
【００１２】
本考案による全角度発光ダイオードランプにおいて、該全角度発光ダイオードランプは、該ランプソケット上に、該ランプソケットと相対して回転可能なサポートフレームを軸設し、該サポートフレーム上には、少なくとも１個の取付孔を設置する。
該第一光電ユニットには、少なくとも１個の該第一発光ダイオード部材を遮蔽する少なくとも１個の第一光透過カバーを設置する。
該第二光電ユニットには、少なくとも１個の該第二発光ダイオード部材を遮蔽する少なくとも１個の第二光透過カバーを設置する。
【００１３】
本考案による全角度発光ダイオードランプにおいて、該第一光電ユニットは、複数の該ランプソケットの底面に設置する第一発光ダイオード部材を有し、該各第一発光ダイオード部材は、扇型基板上に、複数の発光ダイオードを封入する。
【００１４】
本考案による全角度発光ダイオードランプにおいて、該第二光電ユニットは、該ランプソケットの頂面辺縁位置を取り囲んで配置する複数の第二発光ダイオード部材を有し、該各第二発光ダイオード部材は、弧型基板上に、複数の発光ダイオードを封入する。
【００１５】
本考案による全角度発光ダイオードランプにおいて、該電源モジュールは、該ランプソケットの散熱器上に取り付けられる。
【００１６】
本考案による全角度発光ダイオードランプにおいて、該散熱器は、該ランプソケットの頂面中心位置に設置し、しかも放射状に取り囲んで配置する複数の散熱フィンを有する。
【００１７】
本考案による全角度発光ダイオードランプは、第一光電ユニットの光源照射下において、ランプソケット下方範囲へと照射する光源投射効果を達成できる他、第二光電ユニットを利用し、ランプソケット頂面においてランプソケット上方範囲へと照射する光源投射効果も達成できる。
これにより、従来の発光ダイオードランプが達成できない全角度照明効果を実現し、より積極的かつ信頼性の高い手段により、発光ダイオードランプの適用性及び実用性を向上させることができる。
【図面の簡単な説明】
【００１８】
【図１】本考案による全角度発光ダイオードランプのランプソケットの底面方向における外観構造図である。
【図２】本考案の全角度発光ダイオードランプのランプソケットの頂面方向における外観構造図である。
【図３】本考案による第一光電ユニットの構造模式図である。
【図４】本考案による第二光電ユニットの構造模式図である。
【図５】本考案による全角度発光ダイオードランプの別種の実施形態の外観構造図である。
【考案を実施するための形態】
【００１９】
（一実施形態）
本考案による全角度照明効果を形成可能な全角度発光ダイオードランプは、図１〜図５に示す通り、ランプソケット１０、第一光電ユニット２０、第二光電ユニット３０、及び電源モジュール４０を有する。
【００２０】
ランプソケット１０は、少なくともその頂面に散熱器１１を設置する。
実施時には、散熱器１１には、複数の散熱フィン１１１を設置し、主に複数の散熱フィン１１１を利用し、散熱器１１と空気との接触の面積を拡大し、有助於提升全角度発光ダイオードランプ全体の廃熱排出効果を高めることができる。
【００２１】
本実施形態では、散熱器１１は、ランプソケット１０の頂面中心位置に設置し、しかも放射状に取り囲んで配置する複数の散熱フィン１１１を有する。
【００２２】
第一光電ユニット２０には、光源がランプソケット１０から下方へと照射する形態を呈し、ランプソケット１０の底面に取り付ける少なくとも１個の第一発光ダイオード部材２１を設置し、主に、ランプソケット１０下方範囲へと投射する光源を産生する。
【００２３】
第二光電ユニット３０には、光源がランプソケット１０から上方へと照射する型態を呈し、ランプソケット１０の頂面辺縁位置に取り付ける少なくとも１個の第二発光ダイオード部材３１を設置し、主に、ランプソケット１０上方範囲へと投射する光源を産生する。
【００２４】
電源モジュール４０は、ランプソケット１０上に取り付け、外部電源を、定格直流電に転換し、しかも第一光電ユニット２０及び第二光電ユニット３０と電気的に連接する。
実施時には、電源モジュール４０は、ランプソケット１０の散熱器１１上に取り付け、これにより最良の散熱効果を達成する。
【００２５】
原則的には、本考案の全角度発光ダイオードランプは、使用時には、ランプソケット１０を通して適した使用位置に取り付け、しかも電源モジュール４０を通して外部電源に連接する。
正常な使用状態下では、電源モジュール４０により、外部電源を、第一、第二光電ユニット２０、３０を起動する定格直流電に転換し、第一光電ユニット２０の光源照射下において、ランプソケット１０下方範囲へと投射する光源を産生する。
同時に、第二光電ユニット３０の光源照射下において、ランプソケット１０上方範囲へと投射する光源を産生する。
こうして、ランプソケット１０から下方へ及び上方へと照射する全角度照明効果を達成する。
【００２６】
本考案の全角度発光ダイオードランプは、実施時には、ランプソケット１０上に、サポートフレーム５０をさらに設置する。
サポートフレーム１０上には、少なくとも１個の取付孔５１を設置し、全角度発光ダイオードランプ全体の取り付け使用に便を図る。
本実施形態では、全角度発光ダイオードランプ全体は、ランプソケット１０上に、ランプソケット１０と相対して回転可能なサポートフレーム５０を軸設する。
サポートフレーム５０上には、少なくとも１個の取付孔５１を設置し、これにより全角度発光ダイオードランプ全体は、光源角度を簡単に調整可能な機能を備える。
【００２７】
さらに、第一光電ユニット２０は、少なくとも１個の第一発光ダイオード部材２１を遮蔽する少なくとも１個の第一光透過カバー２２を設置する。
同様に、第二光電ユニット３０にも、少なくとも１個の第二発光ダイオード部材３１を遮蔽する少なくとも１個の第二光透過カバー３２を設置する。
実施時には、第一光透過カバー２２及び第二光透過カバー３２は、ポリカーボネート（ＰＣ）、ガラス、或いはアクリルにより製造される。
【００２８】
当然、全角度発光ダイオードランプ全体は、図示のランプソケット１０上に、ランプソケット１０と相対して回転可能なサポートフレーム５０を軸設し、サポートフレーム５０上に、少なくとも１個の取付孔５１を設置することもでき、第一光電ユニット２０には、少なくとも１個の第一発光ダイオード部材２１を遮蔽する少なくとも１個の第一光透過カバー２２を設置し、第一光透過カバー２２は、円形カバーで、第二光電ユニット３０には、少なくとも１個の第二発光ダイオード部材３１を遮蔽する少なくとも１個の第二光透過カバー３２を設置する構造形態とすることもできる。
【００２９】
さらに、本考案の全角度発光ダイオードランプは、上記の各種実施可能な構造形態の下、第一光電ユニット２０は、ランプソケット１０の底面に設置する複数の第一発光ダイオード部材２１を有する。
各第一発光ダイオード部材２１は、扇型基板２１１上に、複数の発光ダイオード２１２を封入する。
第二光電ユニット３０は、ランプソケット１０の頂面辺縁位置を取り囲んで配置する複数の第二発光ダイオード部材３１を有する。
各第二発光ダイオード部材３１は、弧型基板３１１上に、複数の発光ダイオード３１２を封入する。
【００３０】
従来の構造に比べ、本考案による全角度発光ダイオードランプは、第一光電ユニット２０の光源照射下において、ランプソケット下方範囲へと照射する光源投射効果を達成できる他、同時に第二光電ユニットを利用し、ランプソケット頂面においてランプソケット上方範囲へと照射する光源投射効果達成できる。
これにより、従来の発光ダイオードランプが達成できない全角度照明効果を実現し、より積極的かつ信頼性の高い手段により、発光ダイオードランプの適用性及び実用性を向上させることができる。
【００３１】
前述した本考案の実施形態は本考案を限定するものではなく、よって、本考案により保護される範囲は後述される実用新案登録請求の範囲を基準とする。
【符号の説明】
【００３２】
１０  ランプソケット、
１１  散熱器、
１１１  散熱フィン、
２０  第一光電ユニット、
２１  第一発光ダイオード部材、
２１１  扇型基板、
２１２  発光ダイオード、
２２  第一光透過カバー、
３０  第二光電ユニット、
３１  第二発光ダイオード部材、
３１１  弧型基板、
３１２  発光ダイオード、
３２  第二光透過カバー、
４０  電源モジュール、
５０  サポートフレーム、
５１  取付孔。
【図１】
0003203682.tif 000003
【図２】
0003203682.tif 000004
【図３】
0003203682.tif 000005
【図４】
0003203682.tif 000006
【図５】
0003203682.tif 000007